(57)【要約】【課題】安全かつ容易に縁石ブロックをその周方向に回動させる。【解決手段】縁石ブロック回動装置１は、左右に延在した縁石ブロック５０の左右方向と直交して縁石ブロック５０を周方向に回動させるものである。この縁石ブロック回動装置１は、装置本体１０と、装置本体１０を上下に移動させる移動部と、縁石ブロック５０の両端部の凹部５１，５１と互いに係合する係合部２０と、縁石ブロック５０を回動させる回転ハンドル３０等とを備えている。装置本体１０は、左右に延在し、その両端を折曲して縁石ブロック５０の両端部に対向する両端部１２，１２を形成している。係合部２０は、装置本体１０の両端部１２に縁石ブロック５０の周方向に回動自在に設けられている。回転ハンドル３０は、一方の係合部２０Ａと一体に設けられ、この係合部２０を介して縁石ブロック５０を回動させるものである。【選択図】　図１
2004099296.tif 000002
【特許請求の範囲】
【請求項１】
左右に延在したワークの左右方向と直交して前記ワークを周方向に回動させるワーク回動装置であって、
前記ワークは、その両端部に凹部を有するものであり、
左右に延在するとともにその両端を折曲して前記ワークの両端部に対向する両端部を形成した装置本体と、
この装置本体の前記両端部に前記ワークの周方向に回動自在に設けられ、前記ワークの前記両端部の前記凹部と互いに係合する係合部と、
少なくとも一方の前記係合部と一体に設けられ、この係合部を介して前記ワークを回動させる回転ハンドルとを備え、
少なくとも一方の前記係合部は、前記装置本体に対して相対的に左右方向に摺動自在に設けられ、
この係合部と、この係合部が設けられた前記装置本体の端部との少なくとも一方には、摺動自在に設けられた係合部の摺動運動を拘束する拘束部が設けられていることを特徴とするワーク回動装置。
【発明の詳細な説明】
【０００１】
【発明の属する技術分野】
本発明は、縁石ブロック等のワークを周方向に回動させるワーク回動装置に関する。
【０００２】
【従来の技術】
従来、交通の安全を目的とし、道路の歩道や中央分離帯の車道の境界に沿って略４角柱状の縁石ブロック（ワーク）が敷設されている。この縁石ブロックには、製造されてから現場に納入されるまで長期間に渡って屋外で保管される結果、雨水や日光などにさらされる部分が変色する場合がある。このような変色を避けるため、製造された縁石ブロックは、道路上に設けられるべき状態とは上下逆向きの状態で保管され、現場に納入されている。
【０００３】
【発明が解決しようとする課題】
しかしながら、縁石ブロックが上下逆向きの状態で道路の工事現場に納入された場合、縁石ブロックの上下を反転する際に、指先を挟むなどの危険がある。そのため、この危険を回避すべく慎重に縁石ブロックを反転する必要があり、工事に手間がかかっていた。
本発明の課題は、安全かつ容易にワーク（縁石ブロック）をその周方向に回動させることができるワーク回動装置を提供することである。
【０００４】
【課題を解決するための手段】
上記課題を解決するために、請求項１記載の発明は、例えば図１〜図３に示すように、左右に延在したワーク（例えば、縁石ブロック５０）の左右方向と直交して前記ワークを周方向に回動させるワーク回動装置（例えば、縁石ブロック回動装置１）であって、
前記ワーク５０は、その両端部に凹部を有するものであり、
左右に延在するとともにその両端を折曲して前記ワーク５０の両
端部に対向する両端部１２，１２を形成した装置本体１０と、
この装置本体１０の前記両端部１２に前記ワーク５０の周方向に回動自在に設けられ、前記ワーク５０の前記両端部の前記凹部５１と互いに係合する係合部２０と、
少なくとも一方の前記係合部２０Ａと一体に設けられ、この係合部２０を介して前記ワーク５０を回動させる回転ハンドル３０とを備え、
少なくとも一方の前記係合部２０Ａは、前記装置本体１０に対して相対的に左右方向に摺動自在に設けられ、
この係合部２０Ａと、この係合部２０Ａが設けられた前記装置本体１０の端部１２との少なくとも一方には、摺動自在に設けられた係合部２０Ａの摺動運動を拘束する拘束部９０が設けられていることを特徴とする。
【０００５】
請求項１記載の発明によれば、装置本体の両端部には、ワークの両端部の凹部と互いに係合する係合部がワークの周方向に回動自在に設けられ、少なくとも一方の係合部には、この係合部を介してワークを回動させる回転ハンドルが係合部と一体に設けられているので、ワークの両端部の凹部に係合部を係合させた後、ワーク回動装置をワークとともに上昇させ、次に、回転ハンドルを回動させることによってワークを回動させ、次に、ワーク回動装置をワークとともに下降させることにより、手間をかけずに安全かつ容易にワークをその周方向に回動させることができる。
また、少なくとも一方の係合部は装置本体の両端部に対して相対的に左右方向に摺動自在に設けられているので、装置本体に対して相対的に係合部を左右方向に摺動させることによって、より容易に係合部とワークの両端部の凹部とを係合させることができる。
更に、摺動自在に設けられた係合部と、この係合部が設けられた装置本体の端部との少なくとも一方には、摺動自在に設けられた係合部の摺動運動を拘束する拘束部が設けられているので、拘束部によって係合部の摺動運動を拘束することにより、係合部とワークの両端部の凹部との係合状態を維持しつつ、ワークを回動させることができる。従って、より安全かつ容易にワークを回動させることができる。
【０００６】
【発明の実施の形態】
以下、図１〜図３を参照して本発明に係るワーク回動装置の実施の形態を詳細に説明する。なお、本実施の形態においては、ワークを、道路の歩道や中央分離帯の車道の境界に沿って設けられるコンクリート製の縁石ブロック５０として説明する。また、ワーク回動装置を、縁石ブロック５０を回動させる縁石ブロック回動装置１として説明する。
【０００７】
縁石ブロック５０は、図２に示すように、左右に延在した柱状のコンクリートブロックである。この縁石ブロック５０の左右方向に垂直な断面は、略台形状となっている。この縁石ブロック５０においては、互いに平行な上下面のうち、面積が小さい方の面、つまり図３（ａ）の下側の面が化粧面、つまり道路に設けられた際に上面となるべき面である。縁石ブロック５０の両端部のそれぞれには、縁石ブロック５０を運搬する際に手を掛けるための矩形状の凹部５１が設けられている。これら凹部５１，５１は、縁石ブロック５０の重心を通って左右方向に延在する直線と縁石ブロック５０の両端部との交点に設けられている。
【０００８】
縁石ブロック回動装置１は、図１及び図２に示すように、装置本体１０と、縁石ブロック５０の凹部５１，５１と係合する２つの係合部２０，２０（以下、両者を便宜的に区別する場合に、一方を係合部２０Ａ、他方を係合部２０Ｂとする）と、一方の係合部２０Ａを介して縁石ブロック５０を回動させる回転ハンドル３０と、装置本体１０を上下に移動させる移動部（図示せず）等とを備えている。
【０００９】
装置本体１０は、縁石ブロック５０の上面及び両端面に沿うように左右に延在するとともに両端を下方に折曲した略コ字状に形成されている。より具体的には、装置本体１０は、左右に延在する中央部１１と、この中央部１１の両端から下方に突出した２つの端部１２，１２等とから一体に設けられている。なお、本実施の形態においては、装置本体１０は、金属製の角パイプ等によって形成されている。
【００１０】
中央部１１は、縁石ブロック５０の上面に対向する部材である。中央部１１の上端には、ロープ４０が挿通された２つの挿通部１１０，１１０が突出して設けられている。ロープ４０は、移動部によって装置本体１０を吊るためのものである。
両端部１２，１２は、縁石ブロック５０の両端面にそれぞれ対向する部材である。両端部１２，１２の下端には、左右に向かって円形に開口したリング部１２０がそれぞれ設けられている。各リング部１２０は係合部２０を縁石ブロック５０の周方向に回動自在に軸支している。なお、一方のリング部１２０、つまり図中右側のリング部１２０（以下、便宜的にリング部１２０Ａとする）には、ピン（図示せず）が挿通されるピン穴１２５が設けられている。これらピン及びピン穴１２５は、後述の拘束部９０の一部を構成するものである。
【００１１】
係合部２０，２０は、左右に延在する棒状の部材であり、縁石ブロック５０の凹部５１と嵌合可能に形成された４角柱状の先端部２１と、この先端部２１より細い円柱状の基端部２２等とを備えている。これら係合部２０，２０は、それぞれの先端部２１，２１を互いに対向させ、かつそれぞれの基端部２２，２２を装置本体１０の両端部１２，１２のリング部１２０，１２０に挿通した状態となっている。
【００１２】
係合部２０Ｂの基端部２２の左右方向の長さは、リング部１２０の左右方向の長さとほぼ等しくなっている。また、係合部２０Ｂの基端部２２の基端側の部位には、係合部２０Ｂがリング部１２０から抜けるのを防止する抜け止め部２３が設けられている。この抜け止め部２３は、リング部１２０の直径よりも大きな直径を有する円盤状の部材である。
【００１３】
係合部２０Ａの基端部２２の左右方向の長さは、リング部１２０の左右方向の長さより長くなっている。従って、係合部２０Ａは、リング部１２０Ａに対して相対的に左右に摺動可能になっている。
この係合部２０Ａの基端部２２の中間部には、基端部２２の周方向に沿って溝部２４が形成されている。具体的には、溝部２４は、両方の係合部２０，２０の各先端部２１が縁石ブロック５０の凹部５１と互いに係合した際にリング部１２０Ａのピン穴１２５と隣接するよう、係合部２０Ａの基端部２２に設けられている。この溝部２４は、ピン（図示せず）及びリング部１２０Ａのピン穴１２５とともに、係合部２０Ａの摺動運動を拘束する拘束部９０を構成している。
拘束部９０は、リング部１２０Ａのピン穴１２５に挿通されたピンを溝部２４の間に介在させ、このピンと溝部２４の側壁部とを互いに当接させることにより、左右への係合部２０Ａの摺動運動を拘束するものである。従って、拘束部９０は、各係合部２０と縁石ブロック５０の凹部５１とを互いに係合させた状態でピン穴１２５を介して溝部２４の間にピンを介在させることによって、係合部２０Ａの左右への摺動運動を拘束し、両方の係合部２０，２０と凹部５１，５１との係合状態を維持可能となっている。
また、係合部２０Ａの基端部２２の基端側の部位には、回転ハンドル３０が係合部２０と一体に設けられている。
【００１４】
回転ハンドル３０は、係合部２０の軸方向と垂直に延在する棒状の部材である。この回転ハンドル３０は、リング部１２０Ａの直径よりも長く、係合部２０Ａがリング部１２０Ａから抜けるのを防止している。
移動部は、クレーンやパワーショベル、フォークリフト等、ロープ４０を介して縁石ブロック回動装置１を縁石ブロック５０とともに上下に移動させるものである。
【００１５】
次に、以上のような縁石ブロック回動装置１を用いて縁石ブロック５０を回転させる手順について説明する。
まず、図３（ａ）に示すように、地盤上に上下逆の状態で載置された縁石ブロック５０の両方の凹部５１に係合部２０，２０を係合させ、リング部１２０Ａのピン穴１２５を介して係合部２０Ａの溝部２４の間にピンを介在させる。これにより、左右への係合部２０Ａの摺動運動を拘束し、係合部２０と凹部５１との係合状態を維持する。
次に、図２及び図３（ｂ）に示すように、移動部によって縁石ブロック回動装置１を縁石ブロック５０とともに上昇させる。
次に、図３（ｃ）〜（ｅ）に示すように、回転ハンドル３０を回転させることによって、係合部２０Ａを介して縁石ブロック５０を縁石ブロック５０の周方向に１８０度回転させる。
次に、移動部によって縁石ブロック回動装置１を縁石ブロック５０とともに下降させる。
そして、図３（ｆ）に示すように、縁石ブロック５０を地盤上に載置し、縁石ブロック５０から縁石ブロック回動装置１を取り外す。
【００１６】
以上のような縁石ブロック回動装置１によれば、装置本体１０の両端部１２，１２には、縁石ブロック５０の両端部の凹部５１，５１と互いに係合する係合部２０，２０が縁石ブロック５０の周方向に回動自在に設けられている。また、係合部２０Ａには、この係合部２０Ａを介して縁石ブロック５０を回動させる回転ハンドル３０が係合部２０Ａと一体に設けられている。従って、縁石ブロック５０の両端部の凹部５１，５１に係合部２０，２０を係合させた後、移動部によって縁石ブロック回動装置１を縁石ブロック５０とともに上昇させ、次に、回転ハンドル３０を回転させることによって縁石ブロック５０を回転させ、次に、移動部によって縁石ブロック回動装置１を縁石ブロック５０とともに下降させることにより、安全かつ容易に縁石ブロック５０をその周方向に回転させることができる。
【００１７】
また、係合部２０Ａは装置本体１０のリング部１２０Ａに対して相対的に左右方向に摺動自在に設けられるので、装置本体１０のリング部１２０Ａに対して相対的に係合部２０Ａを左右方向に摺動させることによって、より容易に両方の係合部２０，２０と縁石ブロック５０の両端部の凹部５１，５１とを互いに係合させることができる。
【００１８】
また、係合部２０Ａ及び装置本体１０のリング部１２１には、係合部２０Ａの摺動運動を拘束する拘束部９０が設けられているので、拘束部９０によって係合部２０の摺動運動を拘束することにより、係合部２０，２０と縁石ブロック５０の両端部の凹部５１，５１との係合状態を維持しつつ、縁石ブロック５０を回転させることができる。従って、より安全かつ容易に縁石ブロック５０を回転させることができる。
更に、係合部２０Ａの回転を、回転ハンドル３０を介して人力で行うことにより縁石ブロック５０を回転させるので、係合部２０Ａをモーター等の駆動装置によって回転させる場合と異なり、縁石ブロック回動装置１の構造を簡素化することができる。また、縁石ブロック回動装置１の製造コスト低廉化することができるとともに、縁石ブロック回動装置１を壊れ難い構造とすることができる。
【００１９】
なお、上記実施の形態においては、ワークを縁石ブロック５０として説明したが、これに限らず、他のコンクリート製の成形物や角材、鉄骨などとしても良い。
また、溝部２４は係合部２０Ａの基端部２２に１つ設けられていることとして説明したが、これに限らず、縁石ブロック５０の左右方向の長さのバリエーションに応じて複数設けられることとしても良い。この場合、１つの縁石ブロック回動装置１によって複数種類の縁石ブロックを回動させることができる。
【００２０】
また、拘束部９０は、リング部１２０Ａのピン穴１２５に挿通されたピンを溝部２４の間に介在させることによって係合部２０Ａの左右への摺動運動を拘束することとして説明したが、他の機構によって係合部２０Ａの摺動運動を拘束するものとしても良い。例えば、リング部１２０Ａにピン穴１２５を設けずに、このリング部１２０Ａより先端側の係合部２０Ａの部位にピン穴を設け、このピン穴に挿通されたピンによって係合部２０Ａの基端側への摺動運動を拘束するとともに、縁石ブロック５０の凹部５１の底面によって係合部２０Ａの先端側への摺動運動を拘束することとしても良い。また、係合部２０Ａの先端部２１を基端部２２によって回動可能に軸支されるものとして形成し、かつリング部１２０Ａを、内部に挿通された係合部２０Ａの基端部２２を締付け可能に形成することによって係合部２０Ａの摺動運動を拘束するものとしても良い。このようなリング部１２０Ａは、例えば、ボルトが螺合可能な穴部をリング部１２０Ａに設けることによって形成可能である。このようなリング部１２０Ａにおいては、ボルトを締めてリング部１２０Ａの内部の基端部２２をボルトの先端とリング部１２０Ａの内周面とによって締付けることにより、リング部１２０Ａに対する任意の位置で係合部２０Ａの摺動運動を拘束することができる。
【００２１】
また、係合部２０Ａのみが摺動運動することとして説明したが、係合部２０Ｂも摺動運動することとしても良い。
更に、回転ハンドル３０は係合部２０Ａにのみ設けられることとして説明したが、係合部２０Ａ，２０Ｂのそれぞれに設けられることとしても良い。この場合、両方の回転ハンドル３０，３０を用いることにより、縁石ブロック５０の両端部からこの縁石ブロックに外力を加えることができるので、より容易に縁石ブロック５０を回動させることができる。
【００２２】
【発明の効果】
請求項１記載の発明によれば、ワークの両端部の凹部に係合部を係合させた後、移動部によってワーク回動装置をワークとともに上昇させ、次に、回転ハンドルを回動させることによってワークを回動させ、次に、移動部によってワーク回動装置をワークとともに下降させることにより、手間をかけずに安全かつ容易にワークをその周方向に回動させることができる。
【図面の簡単な説明】
【図１】本発明に係る縁石ブロック回動装置を示す正面図である。
【図２】縁石ブロックを回動させる手順を説明するための正面図である。
【図３】縁石ブロックを回動させる手順を説明するための側面図である。
【符号の説明】
１　縁石ブロック回動装置（ワーク回動装置）
１０　装置本体
１２　装置本体の端部
２０　係合部
３０　回転ハンドル
５０　縁石ブロック（ワーク）
５１　縁石ブロックの凹部
９０　拘束部
【図１】
2004099296.tif 000003
【図２】
2004099296.tif 000004
【図３】
2004099296.tif 000005